【手続補正書】
【提出日】令和3年8月25日(2021.8.25)
【手続補正１】
【補正対象書類名】特許請求の範囲
【補正対象項目名】全文
【補正方法】変更
【補正の内容】
【特許請求の範囲】
【請求項１】
骨格となるフレームにクッション材を載置して表皮材で被覆されて構成され、前記クッション材と前記表皮材の間にシートヒータを備えた車両用シートであって、
該クッション材は、シート幅方向の中央部分にあるクッション本体部と、該クッション本体部の左右外側にあるクッションサイド部と、を有し、
該クッションサイド部には、前記シートヒータを収納させるための収納凹部が形成され、
前記シートヒータは、前記クッション本体部に配置される中央ヒータ部と、前記クッションサイド部に配置されるサイドヒータ部と、を有し、
前記サイドヒータ部は、
前記中央ヒータ部と並列状態で接続されて設けられ、前記収納凹部に収納される第１サイドヒータ部と、
前記中央ヒータ部及び前記第１サイドヒータ部とは独立して設けられ、シート幅方向において前記第１サイドヒータ部と間隔を空けて配置される第２サイドヒータ部と、を有していることを特徴とする車両用シート。
【請求項２】
前記第２サイドヒータ部は、前記中央ヒータ部及び前記第１サイドヒータ部とは別の制御装置と接続されていることを特徴とする請求項１に記載の車両用シート。
【請求項３】
前記サイドヒータ部は、左右の前記第２サイドヒータ部を有し、
左右の前記第２サイドヒータ部は、それぞれ別の制御装置と接続されていることを特徴とする請求項１又は２に記載の車両用シート。
【請求項４】
前記第２サイドヒータ部は、シート幅方向において前記第１サイドヒータ部よりも外側位置に配置されていることを特徴とする請求項１乃至３のいずれか一項に記載の車両用シート。
【請求項５】
前記収納凹部は、前記第１サイドヒータ部を収納させるための第１収納凹部と、前記第２サイドヒータ部を収納させるための第２収納凹部と、を有していることを特徴とする請求項１乃至４のいずれか一項に記載の車両用シート。
【請求項６】
前記収納凹部は、前記第１収納凹部及び前記第２収納凹部を連結させるための連結凹部をさらに有していることを特徴とする請求項５に記載の車両用シート。
【請求項７】
前記車両用シートは、背もたれ部となるシートバックと、着座部となるシートクッションと、を備え、
前記第１収納凹部及び前記第２収納凹部は、前記クッションサイド部の厚さ方向及びシート幅方向とは直交する方向に沿って長尺に延びるように形成され、
前記連結凹部は、前記第１収納凹部及び前記第２収納凹部の延出方向において、前記シートバック及び前記シートクッションの連結部分から離れるに従って幅狭となるように形成されていることを特徴とする請求項６に記載の車両用シート。
【請求項８】
前記収納凹部は、左右の前記第１サイドヒータ部を収納させるための左右の第１収納凹部と、左右の前記第２サイドヒータ部を収納させるための左右の第２収納凹部と、を有し、
左右の前記第１収納凹部と、左右の前記第２収納凹部とが、前記クッション本体部に対して左右対称となるように形成されていることを特徴とする請求項１乃至７のいずれか一項に記載の車両用シート。
【請求項９】
前記車両用シートは、着座した乗員の頭部を後方から支持するヘッドレストをさらに備えていることを特徴とする請求項１乃至８のいずれか一項に記載の車両用シート。
【手続補正２】
【補正対象書類名】明細書
【補正対象項目名】０００９
【補正方法】変更
【補正の内容】
【０００９】
前記課題は、本発明の車両用シートによれば、骨格となるフレームにクッション材を載置して表皮材で被覆されて構成され、前記クッション材と前記表皮材の間にシートヒータを備えた車両用シートであって、該クッション材は、シート幅方向の中央部分にあるクッション本体部と、該クッション本体部の左右外側にあるクッションサイド部と、を有し、該クッションサイド部には、前記シートヒータを収納させるための収納凹部が形成され、前記シートヒータは、前記クッション本体部に配置される中央ヒータ部と、前記クッションサイド部に配置されるサイドヒータ部と、を有し、前記サイドヒータ部は、前記中央ヒータ部と並列状態で接続されて設けられ、前記収納凹部に収納される第１サイドヒータ部と、前記中央ヒータ部及び前記第１サイドヒータ部とは独立して設けられ、シート幅方向において前記第１サイドヒータ部と間隔を空けて配置される第２サイドヒータ部と、を有していること、により解決される。
上記のように、クッションサイド部には、シートヒータを収納させるための収納凹部が形成されているため、シートの着座面に凹凸が発生することがなく、着座者に違和感を与えることがないシートヒータ付き車両用シートを実現できる。
特に、クッションサイド部においては、一般に表皮材の裏面に対して薄いワディング材が取り付けられるか、そもそもワディング材が取り付けられていないことが多く、シートヒータ設置による着座感の影響が大きくなるため、本発明の効果が際立つようになる。
【手続補正３】
【補正対象書類名】明細書
【補正対象項目名】００１０
【補正方法】変更
【補正の内容】
【００１０】
このとき、前記第２サイドヒータ部は、前記中央ヒータ部及び前記第１サイドヒータ部とは別の制御装置と接続されていると良い。
【手続補正４】
【補正対象書類名】明細書
【補正対象項目名】００１１
【補正方法】変更
【補正の内容】
【００１１】
このとき、前記サイドヒータ部は、左右の前記第２サイドヒータ部を有し、左右の前記第２サイドヒータ部は、それぞれ別の制御装置と接続されていると良い。
【手続補正５】
【補正対象書類名】明細書
【補正対象項目名】００１２
【補正方法】変更
【補正の内容】
【００１２】
このとき、前記第２サイドヒータ部は、シート幅方向において前記第１サイドヒータ部よりも外側位置に配置されていると良い。
【手続補正６】
【補正対象書類名】明細書
【補正対象項目名】００１３
【補正方法】変更
【補正の内容】
【００１３】
このとき、前記収納凹部は、前記第１サイドヒータ部を収納させるための第１収納凹部と、前記第２サイドヒータ部を収納させるための第２収納凹部と、を有していると良い。
また、前記収納凹部は、前記第１収納凹部及び前記第２収納凹部を連結させるための連結凹部をさらに有していると良い。
また、前記車両用シートは、背もたれ部となるシートバックと、着座部となるシートクッションと、を備え、前記第１収納凹部及び前記第２収納凹部は、前記クッションサイド部の厚さ方向及びシート幅方向とは直交する方向に沿って長尺に延びるように形成され、前記連結凹部は、前記第１収納凹部及び前記第２収納凹部の延出方向において、前記シートバック及び前記シートクッションの連結部分から離れるに従って幅狭となるように形成されていると良い。
【手続補正７】
【補正対象書類名】明細書
【補正対象項目名】００１４
【補正方法】変更
【補正の内容】
【００１４】
このとき、前記収納凹部は、左右の前記第１サイドヒータ部を収納させるための左右の第１収納凹部と、左右の前記第２サイドヒータ部を収納させるための左右の第２収納凹部と、を有し、左右の前記第１収納凹部と、左右の前記第２収納凹部とが、前記クッション本体部に対して左右対称となるように形成されていると良い。
【手続補正８】
【補正対象書類名】明細書
【補正対象項目名】００１５
【補正方法】変更
【補正の内容】
【００１５】
このとき、前記車両用シートは、着座した乗員の頭部を後方から支持するヘッドレストをさらに備えていると良い。
上記構成により、シートヒータの位置決めがし易く、組み付け作業が容易になる。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】変更
【補正の内容】
【００２０】
本発明によれば、シートの着座面に凹凸が発生することがなく、着座者に違和感を与えることがないシートヒータ付き車両用シートを実現できる。
特に、クッションサイド部においては、シートヒータ設置による着座感の影響が大きくなるため、本発明の効果が一層際立つ。
また本発明によれば、収納凹部に収納されたシートヒータの変形が一層抑制される。
また本発明によれば、シートヒータにおいて重要なヒータ線の変形が一層抑制される。
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】